(57)【要約】      （修正有）【課題】かご室の意匠面を構成する内壁の取り換え作業性を向上させることができるエレベータのかご室を提供する。【解決手段】かご床と、かご天井と、かご床の各辺の縁部に立設され、かご室の外壁を構成する複数の固定壁２と、固定壁の前面に着脱自在に取り付けられ、表面がかご室の意匠面を構成する複数の内壁６とを備えたものにおいて、複数の固定壁２は、その内側面に固定具７を有し、かご室の内側からかご床の各辺にそれぞれ立設固定され、かつ互いに隣接する固定壁の突合せ部をかご室の内側から締結固定され、複数の内壁６は、その裏面に固定具と着脱自在に嵌合する取付具８を有し、かご室の内側から固定壁の前面に着脱自在に固定される。【選択図】図４
2006256733.tif 000002
【特許請求の範囲】
【請求項１】
かご床と、かご天井と、前記かご床の各辺の縁部に立設され、かご室の外壁を構成する複数の固定壁と、前記固定壁の前面に着脱自在に取り付けられ、表面がかご室の意匠面を構成する複数の内壁とを備えたエレベータのかご室において、
前記複数の固定壁は、その内側面に固定具を有し、かご室の内側から前記かご床の各辺にそれぞれ立設固定され、かつ互いに隣接する固定壁の突合せ部をかご室の内側から締結固定され、
前記複数の内壁は、その裏面に前記固定具と着脱自在に嵌合する取付具を有し、かご室の内側から前記固定壁の前面に着脱自在に固定されることを特徴とするエレベータのかご室。
【請求項２】
複数の固定壁の内側面及び複数の内壁の裏面には、前記内壁の前記固定壁への取付時に互いに干渉せず、千鳥状の配置となるように凸形状の縦補強板を取り付けたことを特徴とする請求項１記載のエレベータのかご室。
【請求項３】
複数の固定壁の外側面を平坦面に構成したことを特徴とする請求項１又は請求項２記載のエレベータのかご室。
【請求項４】
固定壁同士の繋ぎ目部分と内壁同士の繋ぎ目部分とを、互いにずらせて配置したことを特徴とする請求項１〜請求項３のいずれかに記載のエレベータのかご室。
【請求項５】
複数の固定壁の内側面上下端部に折り返し部を形成し、複数の内壁の裏面上下端部に前記固定壁の上下の折り返し部に係合する切り欠きを形成したことを特徴とする請求項１〜請求項４のいずれかに記載のエレベータのかご室。
【請求項６】
複数の固定壁の内側面及び複数の内壁の裏面の互いに接触し易い部分の少なくとも一方に、緩衝材を貼着したことを特徴とする請求項１記載のエレベータのかご室。
【請求項７】
複数の固定壁を、その横断面形状が波形或いは凹凸形状となるように構成したことを特徴とする請求項１記載のエレベータのかご室。
【発明の詳細な説明】
【技術分野】
【０００１】
この発明は、エレベータのかご室の構造に関するものである。
【背景技術】
【０００２】
従来、エレベータかご室の意匠面を構成する内壁の取り換え作業性を改良したエレベータのかご室としては、かご床と、天井板と、かご床の各辺の縁部に立設された複数の支持部材（固定壁）と、複数の支持部材（固定壁）のそれぞれの内側に設けられた嵌合部材（固定金具）と、裏面側に嵌合部材（固定金具）と嵌脱可能な被嵌合部材（取付金具）が設けられた複数の意匠壁（内壁）とを備え、複数の意匠壁（内壁）が、嵌合部材（固定金具）に被嵌合部材（取付金具）を嵌合させてかご床と天井板との間の空間を取り囲むように複数の支持部材（固定壁）に取り付けられるものが知られている（例えば、特許文献１参照）。
【０００３】
【特許文献１】特開平７−２０６３２７号公報
【発明の開示】
【発明が解決しようとする課題】
【０００４】
従来のエレベータのかご室では、固定壁（外壁）のフラットな面は、一般のかご室の壁構造と同様に、かご室の内側に向くように構成されているため、固定壁（外壁）同士の固定作業は、かご室の外面で行っており、据付作業性が悪かった。また、一般的な壁スペースに加えて、意匠面を構成する内壁分の設置スペースが必要となる。このような壁構造では、壁２枚分の厚さが必要であり、一般的な一重壁に比べて２倍の設置スペースを必要とするという問題があった。
【０００５】
この発明は上記のような課題を解決するためになされたもので、かご室の意匠面を構成する内壁の取り換え作業性を向上させることができるエレベータのかご室を提供することを目的とする。
【課題を解決するための手段】
【０００６】
この発明に係るエレベータのかご室においては、かご床と、かご天井と、かご床の各辺の縁部に立設され、かご室の外壁を構成する複数の固定壁と、固定壁の前面に着脱自在に取り付けられ、表面がかご室の意匠面を構成する複数の内壁とを備えたものにおいて、複数の固定壁は、その内側面に固定具を有し、かご室の内側からかご床の各辺にそれぞれ立設固定され、かつ互いに隣接する固定壁の突合せ部をかご室の内側から締結固定され、複数の内壁は、その裏面に固定具と着脱自在に嵌合する取付具を有し、かご室の内側から固定壁の前面に着脱自在に固定されるものである。
【発明の効果】
【０００７】
この発明によれば、エレベータのかご室の意匠面を構成する内壁の取り換え作業性を向上させることができる。また初期据付段階でのかご室の固定壁（外壁）の組立てをかご内から行うことができるので、容易に組立てることができる。
【発明を実施するための最良の形態】
【０００８】
実施の形態１.
図１はこの発明の実施の形態１におけるエレベータのかご室を示す水平断面図、図２はこの発明の実施の形態１におけるエレベータのかご室を示す縦断面図、図３はかご室の意匠面を構成する内壁の着脱時の様子を示すかご室の一部縦断面図、図４は図３のかご室の一部水平断面図である。
【０００９】
図中、１はエレベータのかご床、２はかご床１の各辺の縁部に立設されてかご室の外壁を構成する複数の固定壁で、上下端部にはコ字状の折り返し部分からなる上下部の補強２ａ、２ｂが設けられており、また左右両端部にはコ字状の折り返し部分からなる左右両側部の補強２ｃ、２ｄが設けられている。互いに隣接する固定壁２の突合せ部である左右両側部の補強２ｃ、２ｄは、図４に示すように、かご室の内側からボルト３で締結固定されて、かご室の外壁を構成する。そして、かご室の外壁を構成する複数の固定壁（外壁）２の外側面は平坦面となるように構成されている。４は固定壁２のかご室の内側面に取り付けられた凸形状の縦補強板、５は複数の固定壁２の上端部に載置されたかご室の天井である。６は表面がかご室の意匠面を構成する複数の内壁である。この内壁６同士の繋ぎ目と上記固定壁（外壁）２同士の繋ぎ目は互いにずらせて配置されるものである。内壁６の裏面には、固定壁２のかご室の内面側に取り付けられた固定金具７と着脱自在に嵌合する取付金具８が取り付けられている。また内壁６の裏面には、その位置が固定壁の凸形状の縦補強板４とは互いに干渉せず、千鳥状の配置となるように凸形状の縦補強板９が取り付けられている。これにより、壁が二重に構成されているにも拘らず、一重壁と同等の省スペース化が可能となる。意匠面を構成する内壁６の左右両端部は裏面側に向かってＬ字状に折り曲げられ、この折り曲げ部の上下端部には切り欠き部６ａ、６ｂがそれぞれ設けられており、内壁６を固定壁（外壁）２に取り付ける際に、固定壁２の上下部の補強２ａ、２ｂと係合するようにしている。そして、内壁６の上端部の切り欠き６ａの方を深めのサイズとし、下端部の切り欠き６ｂの方を浅めのサイズとすることにより、内壁６をかご室の上方向に移動させれば、固定壁２の上下部の補強２ａ、２ｂと、内壁６の上下部の切り欠き６ａ、６ｂとの係合が容易に外れるように構成できる。１０ａは固定壁２の内壁６と接触し易い部分、すなわち互いに隣接する固定壁２の突合せ部である左右両側部の補強２ｃ、２ｄの内壁６取付面に貼着された緩衝材である。１０ｂは内壁６の固定壁２と接触し易い部分、すなわち内壁６の裏面における隣接する固定壁２の突合せ部である左右両側部の補強２ｃ、２ｄと対向する面に貼着された緩衝材である。上記緩衝材１０ａ、１０ｂはどちらか一方に設けられていれば良く、これによりメタルタッチによるビビリ音を防止することができる。なお、図中、１１ａ、１１ｂは内壁６の裏面の上下端部にそれぞれ取り付けられた断面コ字状の横補強板である。
【００１０】
上記構成により、先ず、かご室の外壁を構成する複数の固定壁をかご室の内側からかご床の各辺にそれぞれ立設固定し、かつ互いに隣接する固定壁の突合せ部をかご室の内側から締結固定し、その上にかご室の天井５を組付ける。次に、かご室内から意匠面を構成する内壁６を、図３に示すように、固定壁２の上下部の補強２ａ、２ｂと内壁６の上下部の切り欠き６ａ、６ｂとが係合するように取り付け、その後、固定壁２の固定金具７に内壁６の取付金具８を押し付けることにより、固定金具７と取付金具８が嵌合し、内壁６は固定壁２に着脱自在に固定される。また、固定壁（外壁）２の外側面は、スッキリとした平坦面で構成できるので、展望用エレベータのようにかご室の外面が見える場合には、意匠性を高くすることができ、また高速エレベータのかご室に適用すれば、かご室周りの空気流の乱れを抑制し、かつ二重壁構造で遮音性の高いものとなるため、かご内騒音の低減にも効果がある。また、内壁６同士の繋ぎ目部分と固定壁（外壁）２同士の繋ぎ目部分を互いにずらせて配置したので、展望用エレベータのかご室の場合は、壁繋ぎ目部分の隙間から光が漏れるのを防止することができ、また高速エレベータのかご室の場合は、壁繋ぎ目部分の隙間から流入する音がラビリンス効果により低減され、遮音性の高いかご室構造が得られる。
また、経年変化により古い内壁を新しく交換したい場合には、先ず上記と反対の手順で古い内壁を取り外し、新しい内壁に交換すれば良い。
【００１１】
したがって、実施の形態１のような構成にすることにより、エレベータのかご室の意匠面を構成する内壁の取り換え作業性を向上させることができる。また初期据付段階でのかご室の固定壁（外壁）の組立てをかご内から行うことができるので、容易に組立てることができる。また省スペースで遮音性の高いかご室構造とすることができる。
【００１２】
実施の形態２．
上記実施の形態１では、固定壁（外壁）２と内壁６とが接触し易い部分の双方或いはどちらか一方に緩衝材１０ａ、１０ｂを貼着したが、この実施の形態２においては、緩衝材１０ａ、１０ｂの代わりにマジックテープ（登録商標）を用いることにより、意匠面を構成する内壁６の撓みを抑えることも可能にしたものである。
【００１３】
実施の形態３．
図５はこの発明の実施の形態３におけるエレベータのかご室を示す一部水平断面図である。
図中、実施の形態１と同一又は相当部分には同一符号を付してある。この実施の形態３における固定壁（外壁）２は、その横断面形状が波形や凹凸状に成形されたものである。そして、かご室側から見た固定壁２の凸部は、固定壁２のかご室の内側面側に垂直方向に突出しており、この凸部の反対面の昇降路側には垂直方向の凹部が形成される。また、かご室側から見た固定壁２の凹部は、実施の形態１における固定壁２と同一面である。上記固定壁２の凸部の突出高さは、実施の形態１における凸形状の縦補強板４とほぼ同じ高さであり、固定壁２の凸凹形状が縦補強板を兼ねるので、実施の形態１における凸形状の縦補強板４は不用となり、その分安価の構成できかつ軽量化を図ることができる。
【図面の簡単な説明】
【００１４】
【図１】この発明の実施の形態１におけるエレベータのかご室を示す水平断面図である。
【図２】この発明の実施の形態１におけるエレベータのかご室を示す縦断面図である。
【図３】かご室の意匠面を構成する内壁の着脱時の様子を示すかご室の一部縦断面図である。
【図４】図３のかご室の一部水平断面図である。
【図５】この発明の実施の形態３におけるエレベータのかご室を示す一部水平断面図である。
【符号の説明】
【００１５】
１  かご床
２  固定壁（外壁）
２ａ、２ｂ  上下部の補強
２ｃ、２ｄ  左右両側部の切り欠き
３  ボルト
４  縦補強板
５  天井
６  内壁
７  固定金具
８  取付金具
９  縦補強板
１０ａ、１０ｂ  緩衝材
１１ａ、１１ｂ  横補強板
【図１】
2006256733.tif 000003
【図２】
2006256733.tif 000004
【図３】
2006256733.tif 000005
【図４】
2006256733.tif 000006
【図５】
2006256733.tif 000007